(57)【要約】【課題】建物内の一部に、玄関ホールに通じる収納空間と玄関土間に通じる低床収納空間とを隣接して設けることによって、収納すべき物品の用途に合わせた収納が可能な使い勝手の良い収納空間を備えた建物を提供することを目的とする。【解決手段】１階の床１の一部の上に、中間床２が設けられており、この中間床２と１階の床１との間が収納空間３とされた建物Ａにおいて、玄関ホール４に隣接して、前記収納空間３を設け、玄関土間５と床面の高さがほぼ等しい低床収納空間６を玄関土間５および前記収納空間３の双方に隣接して設けて、前記収納空間３には、玄関ホール４に通じる出入り口７を設け、前記低床収納空間６には、玄関土間５に通じる出入り口８を設けることを前記課題の解決手段とした。【選択図】図１
2006016849.tif 000002
【特許請求の範囲】
【請求項１】
1階の床の一部の上に、中間床が設けられており、この中間床と1階の床との間が収納空間とされた建物において、
玄関ホールに隣接して、前記収納空間が設けられており、玄関土間と床面の高さがほぼ等しい低床収納空間が玄関土間および前記収納空間の双方に隣接して設けられており、前記収納空間には、玄関ホールに通じる出入り口が設けられ、前記低床収納空間には、玄関土間に通じる出入り口が設けられていることを特徴とする建物。
【請求項２】
請求項１に記載の建物において、
前記低床収納空間の床面は、前記収納空間の床面よりも一段低く設けられていることを特徴とする建物。
【請求項３】
請求項１または２に記載の建物において、
前記収納空間の床面と、前記玄関ホールの床面とは、ほぼ等しい高さ位置になるように設けられていることを特徴とする建物。
【請求項４】
請求項１または２に記載の建物において、
前記低床収納空間の出入り口には、戸が設けられていることを特徴とする建物。
【請求項５】
請求項１〜３のいずれか一項に記載の建物において、
前記収納空間の天井高は、０．９ｍ〜１．４ｍに設定されていることを特徴とする建物。
【発明の詳細な説明】
【技術分野】
【０００１】
本発明は、１階の床と、この１階の床の一部の上に設けられた中間床との間が収納空間とされた建物に関する。
【背景技術】
【０００２】
従来より、住宅等の建物において物品を保管、収容する場所として、建物内部には押入や納戸、床下収納庫、小屋裏収納部、天井裏収納部等の収納スペースが設けられ、また、屋外には物置等が設置されることがある。
【０００３】
しかし、近年における生活の質の向上や多様化に伴い、生活に使用する物品が多種多様化および多数化する傾向にあり、これらの物品を保管、収容するために従来の収納スペースでは広さや容量が不足し、また、建物が建てられる敷地の有効利用という観点から、屋外物置等の設置は望ましくないため、その内部により大きな収納スペースを備えた建物が望まれていた。
【０００４】
このような要望に対して、本出願人は、建物の内部に大型収納空間を設けるとともに、この収納空間と同じ床レベルの居室を隣接して設け、さらに、当該居室に収納空間への出入り口を設けた建物を提案した（特許文献１参照）。
【０００５】
前記特許文献１に示す建物は、上階の床と下階の床との間のスキップ床の床レベルに収納空間を設けるため、上階の荷物と下階の荷物のいずれを収納空間へ出し入れする場合にも便利であった。
【特許文献１】特開２００４−１１３３６号公報
【発明の開示】
【発明が解決しようとする課題】
【０００６】
ところが、前記特許文献１に記載のように、建物内部に設けられた収納空間に対して、例えばアウトドア用品等、建物の外部で使用する物品を収納する際には、玄関から部屋、階段等を通過して前記居室まで運ばなければならず、使い勝手が良くない場合があった。
そこで、建物の外部で使用する物品と、建物の中で使用する物品とを分割して収納することができる収納空間の開発が望まれていた。
【０００７】
本発明の課題は、収納すべき物品の用途に合わせた収納が可能な使い勝手の良い収納空間を備えた建物を提供することを目的とする。
【課題を解決するための手段】
【０００８】
請求項１記載の発明は、例えば、図１または図２に示すように、１階の床１の一部の上に、中間床２が設けられており、この中間床２と１階の床１との間が収納空間３とされた建物Ａにおいて、
玄関ホール４に隣接して、前記収納空間３を設け、玄関土間５と床面の高さがほぼ等しい低床収納空間６を玄関土間５および前記収納空間３の双方に隣接して設けて、前記収納空間３には、玄関ホール４に通じる出入り口７を設け、前記低床収納空間６には、玄関土間５に通じる出入り口８を設けることを前記課題の解決手段とした。
【０００９】
請求項１記載の発明によれば、玄関ホール４に隣接して、前記収納空間３を設け、玄関土間５と床面の高さがほぼ等しい低床収納空間６を玄関土間５および前記収納空間３の双方に隣接して設けて、前記収納空間３には、玄関ホール４に通じる出入り口７を設け、前記低床収納空間６には、玄関土間５に通じる出入り口８を設けることによって、建物Ａの外部で使用した物品を低床収納空間６に収納し、建物Ａの内部で使用した物品を収納空間３に収納することができるので、収納すべき物品の用途に合わせた収納が可能となり使い勝手が良い。また、玄関土間５に低床収納空間６を隣接して設けて、かつ、これら玄関土間５と低床収納空間６とは床面５ａ、６ａの高さも等しいので、玄関土間５と低床収納空間６との間の行き来が容易になり、物品の搬入・搬出がし易い。
【００１０】
請求項２記載の発明は、例えば図２に示すように、請求項１に記載の建物Ａにおいて、
前記低床収納空間６の床面６ａを、前記収納空間３の床面３ａよりも一段低く設けることを前記課題の解決手段とした。
【００１１】
請求項２記載の発明によれば、前記低床収納空間６の床面６ａを、前記収納空間３の床面３ａよりも一段低く設けることによって、前記収納空間３の天井高Ｈよりも前記低床収納空間６の床面６ａから天井（中間床２）までの高さが高く形成され、これに伴って収納スペースも広くなるので、物品の搬入や搬出がし易く、しかも収納量が向上して使い勝手が良い。
【００１２】
請求項３記載の発明は、例えば図３（ａ）に示すように、請求項１に記載の建物Ａにおいて、
前記収納空間３の床面３ａと、前記玄関ホール４の床面４ａとを、ほぼ等しい高さ位置になるように設けることを前記課題の解決手段とした。
【００１３】
請求項３記載の発明によれば、前記収納空間３の床面３ａと、前記玄関ホール４の床面４ａとを、ほぼ等しい高さ位置になるように設けるので、従来とは異なり、収納すべき物品を持ったまま階段の昇り降りをする必要もなく、ほぼ等しい高さ位置の床面３ａ、４ａを移動するだけで済み、例えば比較的重量な物品等でも収納し易く使い勝手が良い。
【００１４】
請求項４記載の発明は、例えば図３（ｂ）に示すように、請求項１に記載の建物Ａにおいて、
前記低床収納空間６の出入り口８に、戸９を設けることを前記課題の解決手段とした。
【００１５】
請求項４記載の発明によれば、前記低床収納空間６の出入り口８に、戸９を設けることによって、前記玄関土間５から前記低床収納空間６の中が見えないように遮蔽することができるので、玄関土間５の見映えが良くなる。
【００１６】
請求項５記載の発明は、例えば図２または図３（ａ）に示すように、請求項１に記載の建物Ａにおいて、
前記収納空間３の天井高Ｈは、０．９ｍ〜１．４ｍに設定されていることを前記課題の解決手段とした。
【００１７】
請求項５記載の発明によれば、前記収納空間３の天井高Ｈを、０．９ｍ〜１．４ｍに設定することによって、人が前記収納空間３に入って、何とか作業ができる最低限の高さを確保でき、また、このように天井高Ｈを必要最小限に抑えることで、建物Ａの高さが高くなることによって隣接する建物に及ぼす日照減少等の影響を極力少なくすることができる。
【発明の効果】
【００１８】
本発明によれば、玄関土間に低床収納空間を隣接して設けて、かつ、これら玄関土間と低床収納空間とは床面の高さも等しいので、玄関土間と低床収納空間との間の行き来が容易になり物品の搬入や搬出がし易い。その上、前記収納空間および低床収納空間にそれぞれ出入り口を設けることによって、建物の外部で使用した物品を低床収納空間に収納し、建物の内部で使用した物品を収納空間に収納することができるので、収納すべき物品の用途に合わせた収納が可能となり使い勝手が良い。
さらに、本発明の建物によれば、前記低床収納空間を前記収納空間よりも一段低く設けることにより収納スペースが広がるとともに、前記収納空間の床面と玄関ホールの床面とをほぼ等しい高さに設けて物品の搬入や搬出を容易に行うことができ、しかも、前記玄関土間から前記低床収納空間の中が見えないように戸で遮蔽することによって玄関土間の見映えも良くなるので使い勝手が良い。
また、前記収納空間の天井高を、０．９ｍ〜１．４ｍに設定することによって、人が前記収納空間に入って、何とか作業ができる最低限の高さを確保でき、また、隣接する建物に及ぼす日照減少等の影響を極力少なくすることができる。
【発明を実施するための最良の形態】
【００１９】
以下、図面を参照して本発明に係る建物Ａの実施の形態について説明する。なお、本実施の形態の建物Ａは、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００２０】
本実施の形態の建物Ａは、図１または図２に示すように、１階の床１の一部の上に、中間床２が設けられており、この中間床２と１階の床１との間が収納空間３とされた建物Ａにおいて、
玄関ホール４に隣接して、前記収納空間３が設けられており、玄関土間５と床面の高さがほぼ等しい低床収納空間６が玄関土間５および前記収納空間３の双方に隣接して設けられており、前記収納空間３には、玄関ホール４に通じる出入り口７が設けられ、前記低床収納空間６には、玄関土間５に通じる出入り口８が設けられている。
【００２１】
前記中間床２は、図２に示すように、１階の床１のほぼ左側半分上に設けられており、この中間床２と１階の床１との間が収納空間３とされている。
なお、この中間床２の上部は、図示はしないが、２階の部屋や収納スペースとして使用することができる。また、この中間床２の上部への昇降手段として、図３（ａ）に示すように、階段２ａが設けられている。
【００２２】
前記収納空間３は、図１または図３（ａ）に示すように、玄関ホール４に面して設けられており、この収納空間３の床面３ａと、前記玄関ホール４の床面４ａとは、ほぼ等しい高さ位置になるように設定され、また、この収納空間３には、前記玄関ホール４に通じる出入り口７が設けられている。
【００２３】
このように、前記収納空間３と前記玄関ホール４とが高さの等しい床面３ａ、４ａとなっているので、物品の搬入や搬出作業がし易く、使い勝手が良い。
【００２４】
さらに、本実施の形態では、この収納空間３は、図２または図３（ａ）に示すように、その床面３ａから前記中間床２までの天井高Ｈが１．４ｍに設定されている。
【００２５】
なお、本実施の形態では天井高Ｈを１．４ｍとしたが、０．９ｍ〜１．４ｍの高さ範囲であれば、これに限られるものではない。
【００２６】
ここで、０．９ｍ〜１．４ｍの天井高Ｈとは、人が前記収納空間３に入って、何とか作業ができる最低限の高さを確保するための高さ範囲であり、かつ、このように天井高Ｈを必要最小限に抑えることで、建物Ａの高さが高くなることによって隣接する建物に及ぼす日照減少等の影響を極力少なくすることができる高さ範囲である。
【００２７】
前記玄関ホール４は、図３（ａ）に示すように、前記収納空間３に隣接し、かつ、前記収納空間３の床面３ａとほぼ等しい高さ位置に床面４ａが形成されている。
また、図３（ｂ）に示すように、この玄関ホール４と前記玄関土間５との間には上り框４ｂが設けられている。
【００２８】
前記玄関土間５は、図３（ｂ）に示すように、前記玄関ホール４よりも一段低く設けられており、その床面５ａは、後述する低床収納空間６の床面６ａとほぼ等しい高さ位置に設定されている。
【００２９】
前記低床収納空間６は、図１または図２に示すように、前記玄関土間５および前記収納空間３の双方に隣接して設けられており、この低床収納空間６の床面６ａは前記収納空間３の床面３ａよりも一段低く設けられている。すなわち、図３（ｂ）に示すように、この低床収納空間６の床面６ａと前記玄関土間５の床面５ａとはほぼ等しい高さ位置の床面５ａ、６ａに設定されている。
【００３０】
このような低床収納空間６によれば、その床面６ａが前記収納空間３よりも一段低くなっているので、同じ中間床２の直下に形成されている前記収納空間３よりも行き来がし易い上に収納スペースが広くなり、例えば、高さのある物品等も収納できる構造となっている。
そして、この低床収納空間６の床面６ａと前記玄関土間５の床面５ａとはほぼ等しい高さ位置の床面５ａ、６ａに設定されているので、玄関５に入ってすぐに物品を収納することができる。つまり、従来とは異なり、例えば傘や自転車等の外部で使用されるものを階段上に設置された収納空間まで持ち運ぶことも無く、その分の手間を省くことができるので使い勝手が良い。
【００３１】
また、この低床収納空間６には、前記玄関土間５に通じる出入り口８が設けられており、この出入り口８には戸９が設けられている。
なお、本実施の形態では、図１または図２に示すように、前記戸９を引戸（引き違い戸）の様式としたが、これに限られるものではなく、例えば観音開き様式の扉や折り戸、シャッター等でも良く、本発明の要旨を逸脱しない範囲で適宜変更可能である。
【００３２】
このように、低床収納空間６と玄関土間５に通じる出入り口８に戸９を設けることによって、低床収納空間６に収納した物品を遮蔽することができる。例えば、この低床収納空間６を靴置き場などに使用した場合に、来客に見られることも無く見映えが良い。
【００３３】
なお、この低床収納空間６は、様々な物品を収納することができるが、他にも、例えばペットの飼育場として使用することもできる等、多目的空間として使用することができ使い勝手が良い。
【００３４】
また、本実施の形態の建物Ａは以上のような間取りで構成されているが、これに限られるものではなく、本発明の要旨を逸脱しない範囲で適宜変更可能である。
【００３５】
以上のような構成の建物Ａによれば、玄関土間５に低床収納空間６を隣接して設け、かつ、これら玄関土間５と低床収納空間６とは床面５ａ、６ａの高さも等しくなるように設けるので、玄関土間５と低床収納空間６との間の行き来が容易になり物品の搬入や搬出がし易い。その上、前記収納空間３および前記低床収納空間６に、それぞれ出入り口７、８を設けることによって、建物Ａの外部で使用した物品を低床収納空間６に収納し、建物Ａの内部で使用した物品を収納空間３に収納することができるので、収納すべき物品の用途に合わせた収納が可能となり使い勝手が良い。
さらに、本実施の形態の建物Ａによれば、前記低床収納空間６を前記収納空間３よりも一段低く設けることにより収納スペースが広がるとともに、前記収納空間３の床面３ａと玄関ホール４の床面ａとをほぼ等しい高さに設けて物品の搬入や搬出を容易に行うことができ、しかも、前記玄関土間５から前記低床収納空間６の中が見えないように戸９で遮蔽することによって玄関土間５の見映えも良くなるので使い勝手が良い。
また、前記収納空間３の天井高Ｈを、０．９ｍ〜１．４ｍに設定することによって、人が前記収納空間３に入って、何とか作業ができる最低限の高さを確保でき、また、隣接する建物に及ぼす日照減少等の影響を極力少なくすることができる。
【図面の簡単な説明】
【００３６】
【図１】本発明の建物の、１階の間取り図である。
【図２】図１に示す建物のＢ−Ｂ線矢視断面図である。
【図３】図１に示す建物における、（ａ）はＣ−Ｃ線矢視断面図であり、（ｂ）はＤ−Ｄ線矢視断面図である。
【符号の説明】
【００３７】
Ａ  建物
１  １階の床
２  中間床
３  収納空間
４  玄関ホール
５  玄関土間
６  低床収納空間
７  出入り口（収納空間）
８  出入り口（低床収納空間）
【図１】
2006016849.tif 000003
【図２】
2006016849.tif 000004
【図３】
2006016849.tif 000005